(57)【要約】【課題】地域各店舗から有効な広告情報を発信できるシステムを確立すること。【解決手段】センターサーバ２とは通信回線４を介して接続され、センターから配信された情報を受信し表示する情報端末装置３からなる情報配信課金システムにおいて、アイコン１４、１５を表示手段８に表示させる制御手段１０を情報端末装置３に備え、センターサーバ２が表示手段８に表示するアイコンが更新されるように通信回線４を介して指示するとともに、アイコン１４，１５が更新した時に課金する課金手段１３をセンターサーバ２に備えている。これによって、アイコン１４、１５そのものが、各家庭と広告配信業者専用の広告窓とすることができる。【選択図】  図１
2004151949.tif 000002
【特許請求の範囲】
【請求項１】
入力手段、該入力手段と接続されたセンターサーバ及び該センターサーバと接続された情報端末装置からなる情報配信課金システムにおいて、前記センターサーバは、課金手段を備えると共に、前記情報端末装置は、センターから配信された情報を受信し表示する表示手段と、該表示手段を制御する制御手段とを備え、前記センターサーバが前記表示手段に表示されたアイコンが更新されるように通信回線を介して指示するとともに、前記アイコンが更新された時に前記課金手段によって課金する情報配信課金システム。
【請求項２】
課金手段は、アイコンの色、大きさに応じて課金する請求項１記載の情報配信課金システム。
【請求項３】
課金手段は、アイコンを表示する表示手段の表示位置に応じて課金する請求項１記載の情報配信課金システム。
【発明の詳細な説明】
【０００１】
【発明の属する技術分野】
本発明は、広告等の情報を配信し課金する情報配信課金システムに関するものである。
【０００２】
【従来の技術】
従来の情報配信システムは、下記特許文献１に記載されている。前記文献１に記載された従来の情報配信システムは図６に示したように、デイスプレイ装置１と広告すべき内容を入力する入力用データ端末２と通信機能付きデータ処理装置３とを備え、広告主が広告すべき内容を入力用データ端末２から入力すると、通信回線を通して通信機能付きデータ処理装置３に伝送され、更にこのデータ処理装置３にてデイスプレイ用データに変換されてデイスプレイ装置１に出力され、デイスプレイ装置１が直ちに所望の広告内容をデイスプレイするものである。そして、入力用データ端末２はパソコン等から成り、中小企業の小売店や、地域の魚屋、八百屋、肉屋、スーパー、理髪店等に置かれている。また、デイスプレイ装置３は大型テレビや電光掲示板等からなり、駅やマンション、デパートの出入り口や共用空間に置かれている。
【０００３】
【特許文献１】
特開平５−３４１７２３号公報
【０００４】
【発明が解決しようとする課題】
従来の広告等の情報配信システムでは、地域店からの情報を、センターサーバから一様に配信していたにすぎないが、複数の地域店から広告等を配信することを考慮すれば、表示手段にそれぞれの地域店の広告スペースを設けるようにすれば、よりその地域店にとって有効な広告発信源となる。しかしながら、従来の情報配信システムは、表示手段にそれぞれの地域店の広告スペースを設けるような構成にはなっていなかった。
【０００５】
【課題を解決するための手段】
本発明の情報配信システムは、センターサーバとは通信回線を介して接続され、センターから配信された情報を受信し表示する情報端末装置からなる情報配信課金システムにおいて、アイコンを表示手段に表示させる制御手段を備えた前記情報端末装置と、前記センターサーバが前記表示手段に表示するアイコンを更新させるように通信回線を介して指示させるとともに、アイコンを更新させた時に課金する課金手段をセンターサーバに備えたものである。
【０００６】
本発明によれば、情報をセンターサーバを介して配信する主体事業者にとって、アイコンが自らの専用となるばかりでなく、自動的に主体事業者に課金する構成としているので、有効な情報配信課金システムとなる。
【０００７】
【発明の実施の形態】
本発明は、家庭に設置された情報端末装置の表示手段に、それぞれの地域店専用のアイコンを表示させ、そのアイコンを地域店の広告の窓のようにする構成にしたものである。そして、そのアイコンを指定すれば該地域店から発信された広告が表示手段に表示されるようになる。また、そのアイコンは、センターサーバから表示内容を更新することができ、アイコンを更新した時にその地域店に課金するような構成にしている。
【０００８】
また、アイコンの色、大きさに応じて課金する課金手段をセンターサーバに備えているので、例えば、目立つ色のアイコン、大きなアイコンはより金額を高くするようにでき、有効な情報配信課金システムとなる。
【０００９】
また、アイコンを表示する表示手段の表示位置に応じて課金する課金手段を備えているので、例えば、目立つように表示手段の左上に表示位置を設定した場合は、より金額を高くするようにでき、有効な情報配信課金システムとなる。
【００１０】
【実施例】
以下、本発明の実施例について図面を参照して説明する。
【００１１】
（実施例１）
図１は本発明の実施例１の情報配信課金システムの構成図である。図１において、１は地域店に設置されている広告入力装置、２はセンターサーバ、３は情報端末装置である。広告入力装置１とセンターサーバ２および情報端末装置３はそれぞれ通信回線４で接続されている。広告入力装置１とセンーサーバ２は電話回線でも良く、本実施例ではセンターサーバ２と情報端末装置３はインターネット網で接続されている。また、広告入力装置１と情報端末装置３はそれぞれ複数備えた構成としている。情報端末装置３は、インターネット常時接続を可能とするＡＤＳＬモデム５との情報の送受信をするＬＡＮ手段６と、情報を記憶する記憶手段７と、情報を表示する表示手段８と、情報を入力する入力手段９と、これらＬＡＮ手段６、記憶手段７、表示手段８及び入力手段９を制御する制御手段１０とから構成される。本実施例では情報端末装置３の表示手段８として４．９インチの１／４ＶＧＡサイズの液晶を搭載し、入力手段９はタッチパネルで構成されており、液晶前面に配置されている。
【００１２】
次に、動作を説明する。地域のお店である例えば魚屋さんが家庭に設定された情報端末装置３に広告を発信しようとした時に、センターサーバ２の事業主体社と広告配信契約を締結する。センターサーバ２には広告配信業者の顧客データベースをデータベースサーバ１１に格納し、契約を締結した広告配信業者のアイコンを情報端末装置表示用のＷＥＢサーバ１２に登録する。例えば木下鮮魚店が広告配信業者であれば、木下鮮魚店のアイコンがＷＥＢサーバ１２に登録されることになる。また、山下精肉店が契約を締結すれば、山下精肉店のアイコンも同様に登録されることになる。この時、各広告配信業者に対して、お店専用のアイコンが登録されたので、広告配信に見合う課金を課金手段１３に設定する。各家庭に設置された情報端末装置３は、制御手段１０の指示によりＬＡＮ手段６から、インターネット網４を介してセンターサーバ２に定期的に、ＷＥＢサーバ１２に対して表示内容をポーリングする構成としている。木下鮮魚店、山下精肉店のアイコンがＷＥＢサーバ１２に登録されていれば、図２のように情報端末装置３の表示手段８に表示される。木下鮮魚店１４、山下精肉店１５のアイコンが表示される。
【００１３】
木下鮮魚店には広告入力装置１が設置されており、今日はサンマが安いので、広告をすべく広告内容を入力する。入力情報は通信回線４を介してセンターサーバ２に伝送される。センターサーバ２では、発呼した広告入力装置１から、サーバ２内の顧客管理データベースを検索し、どの広告配信業者かが判断でき、受信情報はセンターサーバ２内のＷＥＢサーバ１２に格納される。
【００１４】
今、木下鮮魚店のアイコン１４をタッチすると、制御手段１０は、ＬＡＮ手段６からＡＤＳＬモデム５、インターネット網４を介してセンターサーバ２のＷＥＢサーバ１２に格納されている広告の詳細内容をダウンロードし記憶手段７に格納する。そして、情報端末装置３内に搭載されたブラウザを用いて、図３のように表示手段８に表示する。山下精肉店のアイコン１５をタッチして入力しても同様な動作をする。
【００１５】
以上のように本実施例では、広告配信業者専用のアイコンを情報端末装置３の表示手段８に表示するので、広告配信業者にとって、大変有効な配信システムとなる。また、アイコンをセンターサーバ２内で登録し更新した時に、広告配信代として広告配信業者に課金すべく課金手段に設定するので、便利な広告配信システムとなる。
【００１６】
（実施例２）
図４は本発明の実施例２の情報配信課金システムの情報端末装置３の表示例である。実施例１とほぼ同様の構成であるが、表示手段８に表示される情報配信業者のアイコンの色や大きさが異なる。
【００１７】
表示されるアイコンは、配信業者専用のものであり、各家庭からはトップ画面で見ることができる。アイコンの色が目立つようにしたり、アイコンが大きい方が広告配信業者にとっては有効である。そこで、本実施例では、赤、黄、緑というように、色に応じて課金値を設定している。赤が最も高い課金値となる。またアイコンの大きさも、大、中、小の大きさがあり、大きさに応じても課金値を設定している。
【００１８】
また、木下鮮魚店のアイコンは、赤であり大きさは中、山下精肉店のアイコンは、色が緑であるが、大きさは大である。これらのアイコン情報はセンターサ−バ２側の事業主体者と広告配信業者の契約締結の時に決定されるものであるが、課金手段１２に課金値が設定される。また、ＷＥＢサーバ１２にそれぞれの広告配信業者のアイコンが色、大きさとともに格納される。
【００１９】
このようにすることにより、広告配信業者は、より広告配信を有効なものとすることができると同時に、課金情報もそのアイコンによって決定することができることになる。
【００２０】
（実施例３）
図５は本発明の実施例３の情報配信課金システムの情報端末装置３の表示例である。実施例１とほぼ同様の構成であるが、表示手段８に表示される情報配信業者のアイコンの表示位置が異なる。
【００２１】
アイコンの表示位置も広告配信上、重要な要素となる。本実施例では左上が最も高い課金値となる。アイコンの位置情報もセンターサ−バ２側の事業主体者と広告配信業者の契約締結の時に決定されるものであるが、課金手段１２に課金値が設定される。また、ＷＥＢサーバ１２にそれぞれの広告配信業者のアイコンの位置情報が格納される。
【００２２】
このような構成にすることにより、広告配信業者は、さらに広告配信を有効なものとすることができると同時に、課金情報もそのアイコンの位置情報によって決定することができることになる。
【００２３】
【発明の効果】
以上の説明から明らかなように、本発明の情報配信課金システムによれば、次の効果が得られる。広告配信業者専用のアイコンを情報端末装置の表示手段に表示するので、広告配信業者にとって、大変有効な配信システムとなる。アイコンそのものが、各家庭と広告配信業者の専用窓となる。また、アイコンをセンターサーバ内で登録し更新した時に、広告配信代として広告配信業者に課金すべく課金手段に設定するので、便利な広告配信システムとなる。
【００２４】
また、アイコンの色、大きさ、表示位置も自由に設定できるので、広告配信業者は、より広告配信を有効なものとすることができると同時に、課金情報もそのアイコンによって決定することができる。
【図面の簡単な説明】
【図１】本発明の実施例１の情報配信課金システムの構成図
【図２】同システムにおける入力情報の一例を示す図
【図３】同システムの情報端末装置の表示画面の一例を示す図
【図４】本発明の実施例２の情報配信課金システムにおける表示画面の一例を示す図
【図５】本発明の実施例３の情報配信課金システムにおける表示画面の一例を示す図
【図６】従来の情報配信システムの構成図
【符号の説明】
２  センターサーバ
３  情報端末装置
４  通信回線
８  表示手段
１０  制御手段
１３  課金手段
１４、１５  アイコン
【図１】
2004151949.tif 000003
【図２】
2004151949.tif 000004
【図３】
2004151949.tif 000005
【図４】
2004151949.tif 000006
【図５】
2004151949.tif 000007
【図６】
2004151949.tif 000008